(57)【要約】【課題】  屋外に簡単に設置可能であり、災害時に長時間火災に耐えることが出来る避難用耐火シェルターを提供するものである。【解決手段】  避難用耐火シェルター１００は、災害時に避難可能な内部空間１ａが形成されており、本体１、水タンク２１、温度センサ３０、第１〜３ポンプ、排出部８、減圧弁９等を備えている。本体１は、天井部２、扉部５０、側部３等を有し、外面形状は略直方体である。天井部２等の構成断面は、第１充填水Ｗ１が充填された外壁１０と、断熱層２０より成っている。火炎熱により外壁１０が加熱されると、第１充填水が水蒸気となり、外部空間に放出される。そのときの潜熱効果により外壁の温度上昇は抑制される。また、断熱層の断熱効果により内部空間の温度上昇はさらに抑制される。減少した第一充填水Ｗ１は第１ポンプ４１を動作し、タンク水WTを供給することによって補充される。【選択図】  図２
2019019510.tif 000002
【特許請求の範囲】
【請求項１】
避難空間となる内部空間が形成された避難用耐火シェルターであって、
貯水空間が形成された本体を備え、
前記本体は、側部と、底部と、天井部と、扉部と、を有し  
前記本体に設けられた減圧弁を、
さらに備えることを特徴とする避難用耐火シェルター。
【請求項２】
前記側部に形成された貯水空間に、上下方向に所定の間隔で設けられた複数の温度センサと、
前記本体に設けられた水タンクと、
前記水タンクと前記側部、底部、および天井部に形成された貯水空間を繋ぐ第１ポンプと、
をさらに備えることを特徴とする請求項１に記載の避難用耐火シェルター。
【請求項３】
前記側部、底部、および天井部の構成断面は、前記貯水空間が形成された外壁と、前記外壁の前記内部空間側に設けられた断熱層と、で構成されていることを特徴とする請求項１または２に記載の避難用耐火シェルター。
【請求項４】
前記断熱層は、前記外壁の前記内部空間側に設けられた内板と、前記内板と前記外壁との間に形成された空気層と、で構成されていることを特徴とする請求項３に記載の避難用耐火シェルター。
【請求項５】
前記空気層は、水が充填可能であることを特徴とする請求項４に記載の避難用耐火シェルター。
【請求項６】
前記断熱層は、軽量気泡コンクリート板と、前記軽量気泡コンクリート板の前記内部空間側に設けられた内板と、を含み、前記軽量気泡コンクリート板は前記外壁と前記内板で挟持されることを特徴とする請求項３に記載の避難用耐火シェルター。
【請求項７】
前記扉部は、前記貯水空間が形成された外扉と、前記外扉の前記内部空間側に設けられた中扉と、出入り口と、を含み、前記外扉、前記中扉、および前記出入り口で形成される扉間空間は、水が充填可能であることを特徴とする請求項1から６のいずれか1項に記載の避難用耐火シェルター。
【請求項８】
前記外扉に形成された貯水空間に、上下方向に所定の間隔で設けられた複数の温度センサと、
前記水タンクと前記外扉に形成された貯水空間を繋ぐ第２ポンプと、
をさらに備えることを特徴とする請求項７に記載の避難用耐火シェルター。
【請求項９】
前記水タンクと前記扉間空間を繋ぐ第３ポンプを、さらに備えることを特徴とする請求項７または８に記載の避難用耐火シェルター。
【発明の詳細な説明】
【技術分野】
【０００１】
本発明は、災害時に内部空間が避難空間となる避難用耐火シェルターに関する。
【背景技術】
【０００２】
東日本大震災では、地震により各地で建物の倒壊・火災が相次ぎ、さらに、過去最大級の津波・津波火災が発生したことによって、多くの尊い人命が失われた。津波火災の発生原因や延焼の理由は、船舶や車から漏れ出した燃料（重油、灯油、ガスなど）が津波によって流され漂流物に衝突して着火し浸水域に漂流したことで被害を拡大させたものと考えられる。これらの事実から、地震災害に利用する避難シェルターは、高い耐火性能を有することが求められる。
【０００３】
火災時に避難する耐火シェルターとして、液体（水）を利用して避難空間内の温度上昇を抑制するものが提案されている。
【０００４】
特許文献１では、通常時萎んだ状態を維持し、災害時は膨らんで密室を形成できる防火シェルターが開示されている。具体的には、流体の供給により膨萎するシェルター壁と、シェルター壁の開放部を封鎖して密室を形成する天板および底板と、密室内に酸素を供給するエアノズルと、密室に出入りするための開口部を備えているシェルターである。
【０００５】
特許文献２では、火災時において一時的に避難するために建造物の防災目的で設置される断熱層を有する天井壁、側壁、床壁よりなる構造体を、長時間の火災に耐えられるように、安価なコストでその内部温度の上昇を抑制するための耐火構造等が開示されている。具体的には天井壁の上部に開放型の水槽を設け、火災発生等の周囲温度が上昇したとき水槽内の水を利用して構造体に流して構造体内部の温度上昇を未然に防止する防火シェルターである。
【先行技術文献】
【特許文献】
【０００６】
【特許文献１】特開２００３−２１３９６４号公報
【特許文献２】特開２０１１−０８４８８３号公報
【発明の概要】
【発明が解決しようとする課題】
【０００７】
しかしながら、特許文献１で開示されている防火シェルターは、建物内に設置することを前提としており、設置場所が限定され汎用性に乏しい。また、膨萎するシェルター壁によって避難空間が形成されるため、破片等の衝突によってシェルター壁が破断し、内部の液体が流出することによって避難空間が失われてしまう可能性がある。さらに、東日本大震災の時に発生したような長時間の火災に耐えることは困難である。
【０００８】
特許文献２で開示されている防火シェルターは、建物内に設置することを前提としており、設置場所が限定され汎用性に乏しい。また、火災発生時等の周囲温度が上昇したとき天井壁の上部に設けられた開放型の水槽から構造体に水を供給する構造となっているため、何らかの原因、例えば、開放型の水槽内の水が地震によって外部飛散した場合、構造体に水が供給されない状態となり、防火シェルターとしての機能を果たすことが出来ない。
【０００９】
本発明は、これらの問題点に着目してなされたものであり、屋外に簡単に設置可能であるとともに、長時間に及ぶ地震火災・津波火災に適用可能な避難用耐火シェルターを提供するものである。
【課題を解決するための手段】
【００１０】
上記課題を解決するために、請求項１に係る発明は、避難空間となる内部空間が形成された避難用耐火シェルターであって、貯水空間が形成された本体を備え、本体は、側部と、底部と、天井部と、扉部を有し、本体に設けられた減圧弁を、さらに備えることを特徴とする。
【００１１】
この構成によれば、本体は貯水空間が形成されているので、あらかじめ貯水空間内に熱容量の高い水を充填することによって、地震火災等による本体の温度上昇を抑制することが出来る。さらに、減圧弁を備えているので、火炎熱によって加熱された水は水蒸気となって減圧弁から外部空間に放出される。このときの潜熱効果によって、本体の温度は一定以上となることはない。これにより、地震火災および津波火災が発生したとき、本体の延焼を防ぐことが出来るとともに、内部空間の温度上昇を抑制することが出来る。
【００１２】
請求項２に係る発明は、請求項１に記載の避難用耐火シェルターであって、側部に形成された貯水空間に、上下方向に所定の間隔で設けられた複数の温度センサと、本体に設けられた水タンクと、水タンクと側部、底部、および天井部に形成された貯水空間を繋ぐ第１ポンプを、さらに備えることを特徴とする。
【００１３】
この構成によれば、側部に上下方向に所定の間隔で設けられた複数の温度センサを備えているので、火災が発生したとき、温度センサの温度を計測することによって貯水空間内の水の充填状態を把握することが出来る。すなわち、火炎熱により水が沸騰して水蒸気が減圧弁から外部に放出され続けると、貯水空間内の水は減少する。水中に位置する温度センサの計測値は水の沸点以下となるが、水面上に位置する温度センサの計測値は水の沸点を超える温度となる。したがって、水の沸点を超える値を示す温度センサと、沸点以下の温度センサの間の位置まで貯水空間内の水が充填していることになる。
【００１４】
また、本体に設けられた水タンクと、水タンクと側部、底部、および天井部に形成された貯水空間を繋ぐ第１ポンプを、さらに備えるので、貯水空間内の水が火炎熱によって蒸発し、減少したとき、水タンク内の水をポンプで貯水空間に補充することが出来る。これにより、貯水空間内の水は、長時間にわたり充填した状態とすることが出来る。その結果、長時間にわたり潜熱効果が働き、側部と、底部と、天井部の温度上昇を抑制することが出来る。
【００１５】
請求項３に係る発明は、請求項１または２に記載の避難用耐火シェルターにおいて、側部、底部、および天井部の構成断面は、貯水空間が形成された外壁と、外壁の内部空間側に設けられた断熱層で構成されていることを特徴とする。
【００１６】
この構成によれば、側部と、底部と、天井部は、貯水空間が形成された外壁と、外壁の内部空間側に設けられた断熱層で構成されているので、火炎熱によって本体の温度が上昇した場合でも、内部空間内の温度上昇を抑制することが出来る。
【００１７】
請求項４に係る発明は、請求項３に記載の避難用耐火シェルターにおいて、断熱層は、外壁の内部空間側に設けられた内板と、内板と外壁との間に形成された空気層で構成されていることを特徴とする。
【００１８】
この構成によれば、断熱層は、外壁の内部空間側に設けられた内板と、内板と外壁との間に形成された空気層であるので、避難空間内に安価に断熱効果の期待できる断熱層を設けることが出来る。
【００１９】
請求項５に係る発明は、請求項４に記載の避難用耐火シェルターにおいて、空気層は、水が充填可能であることを特徴とする。
【００２０】
この構成によれば、空気層は、水が充填可能であるので、空気層内に熱容量の大きい水を充填することによって、内部空間内の温度上昇をさらに抑制することが出来る。
【００２１】
請求項６に係る発明は、請求項３に記載の避難用耐火シェルターにおいて、断熱層は、軽量気泡コンクリート板と、軽量気泡コンクリート板の内部空間側に設けられた内板と、を含み、軽量気泡コンクリート板は外壁と内板で挟持されることを特徴とする。
【００２２】
この構成によれば、断熱層は断熱効果が大きい軽量気泡コンクリート材を外壁と内板で挟持した、いわゆるサンドイッチ構造であるので、極めて強固な本体構造とすることが出来るとともに、避難空間となる内部空間の温度上昇を抑制することが出来る。また、仮に、破片等の衝突により外壁の一部が破損した場合でも、軽量気泡コンクリート材と内壁によって本体の強度が確保できるとともに、避難空間となる内部空間の温度上昇を抑制することが出来る。すなわち、多重防護機能を有する構造となっている。
【００２３】
請求項７に係る発明は、請求項１から６のいずれか１項に記載の避難用耐火シェルターにおいて、扉部は、貯水空間が形成された外扉と、外扉の内部空間側に設けられた中扉と、出入り口と、を含み、外扉、中扉、および出入り口で形成される扉間空間は、水が充填可能であることを特徴とする。
【００２４】
この構成によれば、扉部は、貯水空間が形成された外扉と、外扉の内部空間側に設けられた中扉と、出入り口を含み、外扉、中扉、および出入り口によって扉間空間が形成されている。この扉間空間に充填されている空気の断熱効果によって、内部空間内の温度上昇を抑制することが出来る。
【００２５】
また、扉間空間は、水が充填可能であるので、水を充填することによって内部空間内の温度上昇をさらに抑制することが出来る。
【００２６】
請求項８に係る発明は、請求項７に記載の避難用耐火シェルターにおいて、外扉に形成された貯水空間に、上下方向に所定の間隔で設けられた複数の温度センサと、水タンクと外扉に形成された貯水空間を繋ぐ第２ポンプをさらに備えることを特徴とする。
【００２７】
この構成によれば、外扉に形成された貯水空間に、上下方向に所定の間隔で設けられた複数の温度センサを備えているので、この温度を計測することによって火災が発生したときの貯水空間内の水の充填状態を把握することが出来る。すなわち、火炎熱により水が沸騰して水蒸気が減圧弁から外部に放出され続けると、貯水空間内の水は減少する。水中に位置する温度センサの計測値は水の沸点以下となるが、水面上に位置する温度センサの計測値は水の沸点を超える温度となる。したがって、水の沸点を超える値を示す温度センサと、沸点以下の温度センサの間の位置まで貯水空間内の水が充填していることになる。
【００２８】
また、本体に設けられた水タンクと、水タンクと外扉に形成された貯水空間を繋ぐ第２ポンプを、さらに備えるので、貯水空間内の水が火炎熱によって蒸発し、減少したとき、水タンク内の水をポンプで貯水空間に補充することが出来る。これにより、貯水空間内の水は、長時間にわたり充填した状態となる。その結果、長時間にわたり潜熱効果が働き、外扉の温度上昇を抑制することが出来る。
【００２９】
請求項９に係る発明は、請求項７または８に記載の避難用耐火シェルターにおいて、水タンクと扉間空間を繋ぐ第３ポンプを、さらに備えることを特徴とする。
【００３０】
この構成によれば、水タンクに貯留された水を扉間空間へ供給するために第３ポンプをさらに備えるので、簡単に扉間空間内に水を充填することが出来る。
【図面の簡単な説明】
【００３１】
【図１】実施例１による避難用耐火シェルターの扉部を省略した概略斜視図である。
【図２】同側面断面図である。
【図３】同平面断面図である。
【図４】同外扉の斜視図である。
【図５】同外壁の部分断面図である。
【図６】同排出部の部分断面図である。
【図７】（ａ）は実施例２による避難用耐火シェルターの平面断面図であり、（ｂ）は同側面断面図である。
【発明を実施するための形態】
【００３２】
以下、図面を参照しながら、本発明の好ましい実施形態について説明する。
【００３３】
〈実施例１〉
実施例１について、図１〜６を参照しながら説明する。
【００３４】
避難用耐火シェルター１００（以下、シェルター１００という。）は、災害時に避難可能な内部空間１ａが形成されており、本体１、水タンク２１、温度センサ３０、第１〜３ポンプ４１〜４３、減圧弁９等を備えている。
【００３５】
シェルター１００は、地震等の災害時に避難可能な内部空間１ａが形成されている。内部空間１ａは、許容重量下で、水に浮かぶ内容積を有する。すなわち、シェルター１００は、津波が襲来したとき水面に浮遊する。これにより、シェルター１００を地盤に強固に固定するための基礎構造が不要となり、簡単に屋外に設置することが出来る。
【００３６】
本体１は、天井部２、底部６、扉部５０、並びに側部正面３ａ、側部側面３ｃおよび側部背面３ｂから成る側部３を有し、外面形状は略直方体である（図１、３参照）。天井部２の地上高さは、側部背面３ｂが側部正面３ａの高さに比べて高くなっている。すなわち、側部背面３ｂから側部正面３ａに向かって下り傾斜がつけられている。扉部５０は側部正面３ａに備えられており、出入り口７が設けられている。また、傾斜を有する天井部２の頂上端部に排出部８が設けられている。
【００３７】
天井部２、底部６、および側部３の断面は、外壁１０と、外壁１０の内部空間１ａ側に設けられた断熱層２０より成っている。
【００３８】
外壁１０は、津波襲来時に押し寄せる浮遊物の衝突から内部空間を防護するためのものであり、さらに、内部に充填された第１充填水Ｗ１の潜熱効果により火炎熱による外壁１０自体の温度上昇を抑制する機能を有する。外壁１０は、外部空間側を覆う第１外壁板１１と、その内側に設けられた第２外壁板１２により成っている。
【００３９】
排出部８は、第１充填水Ｗ１が火炎熱で加熱されて水蒸気が発生したとき、減圧弁９から、その水蒸気を外部空間に放出するためのもので、側面視がコ字形であり、両端部に減圧弁９が設けられている。また、コ字形の底面は天井部２の上方に突出して設けられており、内部は空気で満たされている。
【００４０】
第１外壁板１１の天井部２と、側部背面３ｂは排出部８を介して接続している。排出部８は、底面が天井部２の上方に突出して設けられており、また、側部側面３ｃは、減圧弁９を介して排出部８の両端と接続している。第２外壁板１２は、第１外壁板１１の内部空間１ａ側に設けられており、スペース材１０ａを介して第１外壁板１１に固定されている。これにより、第１外壁板１１と第２外壁板１２の間隔は、一定の距離を保つことが出来る。外部空間側を覆う第１外壁板１１、排出部８、減圧弁９と、その内側に設けられた第２外壁板１２によって水が充填可能となる第１充填層Ａ１（貯水空間）が形成される。第１外壁板１１は、鋼板であることが好ましい。これにより、津波襲来時に押し寄せる漂流物の衝突に耐えうる強度を有することが出来る。さらに、補強板を固定してもよい。第２外壁板１２は、鋼板であることが好ましい。これにより、第１充填層Ａ１に第１充填水Ｗ１が充填されたとき、薄い板厚でその水圧に耐えうるとともに、所定の変形量を満足することが出来る。また、補強板を固定してもよい。これにより、更なる薄板化が可能となる。
【００４１】
なお、実施例１では、外壁１０は、第１外壁板と第２外壁板よりなっているが、角筒管を連結し、それぞれを連通状態として成してもよい。
【００４２】
断熱層２０は、火炎熱に起因する内部空間１ａの温度上昇を抑制するためのものであり、内板１４と、内板１４と第２外壁板１２で形成される空気層Ａにより成っている。内板１４は、第２外壁板１２の内部空間側に設けられ、スペース材２０ａを介して第２外壁板１２と相互に固定されている。これにより、内板１４と、第２外壁板１２の間隔は、一定の間隔を保つことが出来る。内板１４と、第２外壁板１２で形成される空気層Ａは閉じた空間となっていることから、水を充填してもその水が漏れることはない。内板１４は鋼板であることが好ましい。これにより、空気層Ａに水を充填したとき、内板１４は薄い板厚で所定の強度を有することが可能となる。また、補強板（図示略）を固定してもよい。これにより、更なる薄板化が可能となる。
【００４３】
図６に示す通り、空気抜き管６０が、排出部８近傍に設けられている。空気抜き管６０は、火炎熱により加熱膨張した空気層Ａ内の空気を外部空間に放出するためのものであり、一端は空気層Ａに貫入しており、他端は第１充填水Ｗ１の水面上に位置する状態で排出部８内に配設されている。
【００４４】
実施例１では、空気層Ａは空気で満たされているが、空気に換えて水を充填してもよい。また、軽量気泡コンクリート板を外壁１０と内板１４で挟持する構成としてもよい。
【００４５】
水タンク２１は、第１充填層Ａ１等に供給する水を貯留するためのタンクである。水タンク２１は略直方体に形成されており、底面は、内部空間１ａ内の底部６を構成する内板１４に沿って設けられ、底面の端部から垂直に延びた側面は、側部３を構成する内板１４に沿って設けられている。また、水タンク２１の上面の外表面上に床２２が設けられている（図２参照）。
【００４６】
第１ポンプ４１は、水タンク２１に貯留されたタンク水ＷＴを第１充填層Ａ１に供給するためのポンプであり、ポンプ本体４１１と、ポンプ本体４１１から水タンク２１の内部に延びる送水管４１２と、第１充填層Ａ１の内部に延びる送水管４１３により成っている。第１ポンプ４１は、手動式、またはバッテリ等の電源で動作する電動式であってもよい。
【００４７】
図２、６に示す通り、５個の温度センサ３０が、側部背面３ｂの上端から所定の間隔で下端に向かって、第１充填水内に水没した状態で取り付けられている。第１充填水Ｗ１が火炎熱によって水蒸気となり外部空間に放出されると、第１充填水Ｗ１の水位は低下し、上方に位置する温度センサ３０から順番に水面上に現れる。水没している温度センサ３０の計測値は水の沸点（１００℃）となるが、水面上の温度センサ３０の計測値は水の沸点（１００℃）を超える温度となる。この、温度の変化を計測することにより、第１充填水Ｗ１の水位を推定することが出来る。なお、温度センサ３０の計測値は、側部３の内板１４に設けられたモニター７０に表示される。これにより、内部空間１ａ内から第１充填水Ｗ１の水位を適宜に把握することが出来る。
【００４８】
側部正面３ａに、扉部５０が設けられている。扉部５０は、出入り口７と外部空間側に回動可能に固定された外扉５１と、内部空間１ａ側に回動可能に固定された中扉５５より成っている。外扉５１は、内部空間１ａを密閉状に閉塞することが出来るものであり、内部空間１ａ側の外周部に、水密パッキン５２および耐火パッキン５３が環状に設けられている。さらに、図４に示すように、外扉５１の外周部を外壁１０の第１外壁板１１に押圧可能とするロック装置５１ａが取り付けられている。外扉５１を閉じ、ロック装置５１ａのレバーを回転することによって、外扉５１は水密パッキン５２、および耐火パッキン５３を介して外壁１０に押圧される状態になる。これにより、シェルター１００を密閉状に閉塞することが出来る。
【００４９】
外扉５１には、外壁１０と同様に、第２充填層Ａ２（貯水空間）が形成され第２充填水Ｗ２が充填されている。また、外部空間側の上端部に、水蒸気を外部空間に排出するための減圧弁（図示略）が設けられ、さらに複数の温度センサ（図示略）が外扉５１の上端から所定の間隔で設けられている。これらは、外壁１０に設けられているものとほぼ同じ構成であるため説明は省略する。
【００５０】
中扉５５は、内部空間１ａを密閉状に閉塞するとともに、外扉５１と中扉５５と出入り口７で形成される第３充填層Ａ３を閉塞するものであり、外部空間側の外周部に、水密パッキン５６が環状に設けられている。また、中扉５５の外部空間側の外周部を第２外壁板１２に押圧可能とするロック装置（図示略）が内部空間１ａ側取り付けられている。これらの構成により、内部空間１ａを密閉状に閉塞するとともに、外扉５１と中扉５５と出入り口７で形成される第３充填層Ａ３（扉間空間）を密閉状態に閉塞することが出来る。中扉５５は鋼板であることが好ましい。
【００５１】
第２ポンプ４２は、水タンク２１に充填されたタンク水ＷＴを第２充填層Ａ２に供給するためのポンプであり、ポンプ本体４２１と、ポンプ本体４２１から水タンク２１の内部に延びる送水管４２２と、第２充填層Ａ２の内部に延びる送水管４２３により成っている。第２ポンプ４２は、手動式、またはバッテリ等の電源で動作する電動式であってもよい。
【００５２】
第３ポンプ４３は、水タンク２１に充填されたタンク水ＷＴを第３充填層Ａ３に供給するためのポンプであり、ポンプ本体４３１と、ポンプ本体４３１から水タンク２１の内部に延びる送水管４３２と、第３充填層Ａ３の内部に延びる送水管４３３により成っている。第３ポンプ４３は、手動式、またはバッテリ等の電源で動作する電動式であってもよい。
【００５３】
なお、第１、２充填水Ｗ１、２はあらかじめ充填されているが、第３充填水Ｗ３は、外扉５１および中扉５５を閉じて第３充填層Ａ３が形成された後、第３ポンプ４３を動作し、水タンク２１からのタンク水ＷＴを供給することによって充填される。水を充填するときに内部の空気が圧縮されて第３充填層Ａ３内の気圧が上昇する。これを抑制するために、中扉５５の内部空間１ａ側の上端部に空気抜き弁（図示略）が設けられている。
【００５４】
シェルター１００の使用方法について説明する。シェルター１００は、内部空間１ａ内に机、椅子等を床２２に固定し、通常時において、事務所として使用する。また、災害の際に必要となる備品、例えば酸素ボンベ、非常食、飲料水、懐中電灯、非常用の寝具、薬、ラジオその他の緊急避難用品をひとまとめにして、散乱しないようにあらかじめ定められた場所に配備しておく。さらに、二酸化炭素の増え過ぎを防止するため、消石灰水溶液、またはゼオライトを備えておく。これにより、二酸化炭素が吸着され、内部空間１ａ内の二酸化炭素濃度を減らすことが出来る。事務所として使用するときは、外扉５１は常時開放状態としておき、中扉５５を開閉することにより内部空間１ａへの出入りを行う。これにより、第２充填水Ｗ２が充填されて重くなった外扉５１を開閉する必要がなくなり、多大な労力を要することなく出入りすることが出来る。すなわち、事務所としての利便性が向上する。
【００５５】
地震等により、火災の発生が予想されるときは、直ちに内部空間１ａ内に避難し、外扉５１、中扉５５を閉じて内部空間１ａを密閉状に閉塞するとともに、第３ポンプ４３を動作して、第３充填層Ａ３内にタンク水ＷＴを供給する。
【００５６】
火炎熱によって、第１充填水Ｗ１は水蒸気となり、減圧弁９を経由して外部空間に放出される。このときの潜熱効果によって、内部空間１ａ内の温度上昇は抑制される。また、断熱層２０の断熱効果によりさらに抑制される。
【００５７】
第１充填水Ｗ１の蒸発によって、第１充填層Ａ１内の水位が低下すると、水面上に位置する温度センサ３０の計測値は１００℃をこえる。あらかじめ定めた位置の温度センサ３０の計測値が１００℃を超えたとき、第１ポンプ４１を動作し、水タンク２１内に貯留されているタンク水ＷＴを、第１充填層Ａ１内に供給する。最上部の温度センサ３０の計測値が１００℃以下となったとき、第１ポンプ４１の動作を停止する。同様の操作を第２ポンプ４２についても行う。これにより、避難した人々の人命を守ることが出来る。
【００５８】
また、津波が押し寄せた場合は、シェルター１００は、水面上に浮上する。家屋等はその波力により破壊され瓦礫となって漂流し、漂流物は津波とともにシェルター１００を襲う。シェルター１００の外壁１０は鋼板等であり、この漂流物によって破壊されることはない。
【００５９】
漂流物が引火しその火炎熱によってシェルター１００が加熱されたとしても、上述した手順を実施することによって、内部空間１ａ内の温度上昇は抑制され、シェルター１００に避難した人々の人命を守ることが出来る。
【００６０】
〈実施例２〉
実施例２について、図７（ａ）、（ｂ）を参照しながら説明する。
【００６１】
実施例２の構成は、実施例１と共通する部分が多いことから、この共通する部分についての説明は省略し、主に相違点について説明する。
【００６２】
図７（ａ）（ｂ）に示すように、シェルター２００の本体２０１は、平面視が略楕円形上の有底、有天井構造となっている。側部２０３の四隅に第２水タンク２２１ａが設けられている。内部空間２０１ａ内に実施例１のシェルター１００と同様の第１水タンク２２１が設けられている。第１水タンク２２１と第２水タンク２２１ａは連結管２２５によって繋がれ連通状態となっている。これにより、より多くの水を充填層に供給することが出来る。
【産業上の利用可能性】
【００６３】
本発明に係るシェルターは、屋外に簡単に設置することが出来る。常時においては、事務所として利用可能であり、また地震、地震火災、津波、津波火災等の幅広い災害に対して避難可能なものであり、産業上の利用可能性は大である。
【符号の説明】
【００６４】
１００、２００      ：シェルター
１、２０１          ：本体
１ａ、２０１ａ      ：内部空間
２                  ：天井部
３、２０３          ：側部        
６                  ：底部
７                  ：出入り口
８                  ：排出部
９                  ：減圧弁
１０                ：外壁
１１                ：第１外壁板
１２                ：第２外壁板
１４                ：内板
２０                ：断熱層
２１                ：水タンク
３０                ：温度センサ
４１                ：第１ポンプ
４２                ：第２ポンプ
４３                ：第３ポンプ
５０、２５０        ：扉部
５１                ：外扉
５１ａ              ：ロック装置
５５                ：中扉
２２１ａ            ：第２水タンク
２２５              ：連結管
Ａ                  ：空気層
Ａ１                ：第１充填層
Ａ２                ：第２充填層
Ａ３                ：第３充填層（扉間空間）
Ｗ１                ：第１充填水
Ｗ２                ：第２充填水
Ｗ３                ：第３充填水
ＷＴ                ：タンク水
【図１】
2019019510.tif 000003
【図２】
2019019510.tif 000004
【図３】
2019019510.tif 000005
【図４】
2019019510.tif 000006
【図５】
2019019510.tif 000007
【図６】
2019019510.tif 000008
【図７】
2019019510.tif 000009